(57)【要約】【課題】陽極ターゲットの冷却率に優れているとともに製品寿命の長期化を図ることができる回転陽極型Ｘ線管を提供する。【解決手段】回転陽極型Ｘ線管１は、内部に冷却液２０が流れる流路を有する固定体１０と、ターゲット層５２及び真空空洞部５１ｂを有し陽極ターゲットを構成する円盤状の径大部６１０と、径小部６２０と、を含み、固定体の外面を囲み、固定体により回転可能に支持された回転体６００と、液体金属潤滑剤７０と、陰極８０と、真空外囲器９０と、真空空洞部の内部に収容され、蒸発及び凝縮されることによりターゲット層の熱を放散させる作動流体材２００と、を備えている。上記流路は、径大部６１０と対向した位置及び固定体１０の少なくとも１つの端部を結んだ範囲にわたっている。【選択図】      図１
2010103046.tif 000002
【特許請求の範囲】
【請求項１】
外面に軸受面を有し、内部に冷却液が流れる流路を有する円筒状の固定体と、
ターゲット層及び前記ターゲット層の直下に位置した真空空洞部を有し陽極ターゲットを構成する円盤状の径大部と、前記径大部と一体化された径小部と、を含み、前記固定体の外面を囲み、内面に前記軸受面に隙間を置いて対向する軸受面を有し、前記固定体により回転可能に支持された回転体と、
前記隙間に充填された液体金属潤滑剤と、
前記ターゲット層に対向配置された陰極と、
前記固定体、回転体、液体金属潤滑剤及び陰極を収容し、前記回転体の外側に露出した前記固定体に固定された真空外囲器と、
前記真空空洞部の内部に収容され、蒸発及び凝縮されることにより前記ターゲット層の熱を放散させる作動流体材と、を備え、
前記流路は、前記径大部と対向した位置及び前記固定体の少なくとも１つの端部を結んだ範囲にわたっている回転陽極型Ｘ線管。
【請求項２】
側面にラジアルすべり軸受面を有し、一端部が閉塞され、内部に冷却液が流れる流路を有する円筒状の固定体と、
ターゲット層、前記ターゲット層の直下に位置した真空空洞部及び前記固定体の一端部と隙間をおいて嵌合される凹部を有し陽極ターゲットを構成する円盤状の径大部と、前記固定体の側面を囲み、内面に前記ラジアルすべり軸受面に隙間を置いて対向するラジアルすべり軸受面を有し、一端部で前記径大部と一体化された径小部と、を含み、前記固定体により回転可能に支持された回転体と、
前記隙間に充填された液体金属潤滑剤と、
前記ターゲット層に対向配置された陰極と、
前記固定体、回転体、液体金属潤滑剤及び陰極を収容し、前記固定体の一端部の反対側に位置する前記固定体の他端部に固定された真空外囲器と、
前記真空空洞部の内部に収容され、蒸発及び凝縮されることにより前記ターゲット層の熱を放散させる作動流体材と、を備え、
前記流路は、前記固定体の一端部及び他端部を結んだ範囲にわたっている回転陽極型Ｘ線管。
【請求項３】
前記作動流体材は、亜鉛、アンチモン及びビスマスから選択された材料、又はこれらの材料の少なくとも１つを成分に含む合金である請求項１又は２に記載の回転陽極型Ｘ線管。
【請求項４】
前記固定体の内部に設けられ、前記固定体とともに前記流路を形成する管部をさらに備えている請求項１又は２に記載の回転陽極型Ｘ線管。
【請求項５】
前記径大部の内部に設けられ、前記管部の側面を囲むように前記管部と一体に形成された環部をさらに備え、
前記管部及び環部は、前記固定体とともに前記流路を形成する請求項４に記載の回転陽極型Ｘ線管。
【請求項６】
前記冷却液は、水である請求項１又は２に記載の回転陽極型Ｘ線管。
【請求項７】
前記冷却液は、水を主成分とする不凍液である請求項１又は２に記載の回転陽極型Ｘ線管。
【請求項８】
前記固定体は、スチール、モリブデン又はモリブデン合金の材料で形成されている請求項１又は２に記載の回転陽極型Ｘ線管。
【請求項９】
前記固定体の表面の一部は、前記液体金属潤滑剤との反応温度が素材のそれよりも高い金属で被覆されている請求項１又は２に記載の回転陽極型Ｘ線管。
【請求項１０】
前記ターゲット層は、前記回転体の回転軸に沿った方向に前記陰極と対向し、前記径大部の半径方向外側に位置している請求項１又は２に記載の回転陽極型Ｘ線管。
【請求項１１】
前記ターゲット層は、前記回転体の回転軸に直交した方向に前記陰極と対向し、前記径大部の半径方向外側に位置している請求項１又は２に記載の回転陽極型Ｘ線管。
【請求項１２】
前記回転体は、前記径小部の軸受面に対して前記径大部の反対側の前記径小部に設けられ、前記回転体の回転を維持するとともに前記液体金属潤滑剤の漏洩を抑制するシール部を有している請求項１又は２に記載の回転陽極型Ｘ線管。
【発明の詳細な説明】
【技術分野】
【０００１】
この発明は、回転陽極型Ｘ線管に関する。
【背景技術】
【０００２】
一般に、Ｘ線管装置は、医療診断システムや工業診断システム等に用いられている。Ｘ線管装置は、Ｘ線を放射する回転陽極型Ｘ線管と、ステータコイルと、これら回転陽極型Ｘ線管及びステータコイルを収容した筐体と、を備えている。回転陽極型Ｘ線管は、固定シャフトと、この固定シャフトを軸に回転可能に設けられた回転体と、この回転体の端部に継手部を介して設けられた陽極ターゲットと、この陽極ターゲットに対向配置された陰極と、これらを収容した真空外囲器と、この真空外囲器内に充填された冷却液とを有している。固定シャフト及び回転体間の隙間には液体金属が充填されている。
【０００３】
上記Ｘ線管装置の動作状態において、ステータコイルは回転体に与える磁界を発生するため、回転体及び陽極ターゲットは回転する。また、陰極は陽極ターゲットに対して電子ビームを照射する。これにより、陽極ターゲットは、電子と衝突するときにＸ線を放出する。
【０００４】
Ｘ線管装置の動作時に、陽極ターゲットは、この陽極ターゲットへの熱入力により高温になる。すなわち、陽極ターゲットは、電子ビームが照射されることにより高温になる。特に、電子が衝突される電子衝撃面（焦点）の温度が高温になる。このため、電子衝撃面の温度は陽極ターゲット材質の溶解温度以下でなくてはならない。
【０００５】
上記したことから、陽極ターゲットを冷却させるための技術が開発されている。例えば、電子衝突面の近くで液体金属を熱伝達流体として用いて陽極ターゲットを冷却する技術が開示されている（例えば、特許文献１及び特許文献２参照）。上記技術を用いることにより、陽極ターゲットの高冷却が可能となる。
【０００６】
しかしながら、上記開示された技術において、液体金属のシール部は電子衝突面近くに形成されている。電子衝突面より発生した熱はシール部に伝導するため、シール部は高温となり変形してしまう。回転体と固定シャフトとの隙間が変形してしまうため、シール部によるシール性能を十分発揮するための隙間（クリアランス）の維持が困難となるという第１の問題点がある。結果、液体金属の漏れにより、Ｘ線管に不良が生じる恐れがある。
【０００７】
また、およそ１４０ｍｍ程度の直径を有し、およそ毎分１万回転で回転する陽極ターゲットを想定した場合、凹部に充填された液体金属の運動は乱流域に達しており、液体金属により発生する摩擦損失はおよそ１２ｋＷにも相当する。従って、上記した回転陽極Ｘ線管は、回転体を回転駆動するには非常に大型のモータが必要になり、コンパクトな設計と両立させることが困難であるという第２の問題点がある。  
しかしながら、上記した第２の問題点は未解決のままであった。
【０００８】
一方、ヒートパイプの原理を応用して陽極ターゲットの冷却を行う技術も開示されている（例えば、特許文献３参照）。
【０００９】
この陽極ターゲットは、内部に半径方向に延在する空洞を設けている。空洞内部には、作動流体が納められている。空洞とターゲット層（Ｘ線放射層）を隔てる隔壁が存在している。作動流体は液体状態でターゲットの回転による遠心力により、回転軸から最も離れた空洞壁付近に集められる。空洞とターゲット層を隔てる隔壁もこの集められた作動流体に浸っている。
【００１０】
Ｘ線を発生させるためにターゲット層に電子ビームが当たると、ターゲット層に熱が発生するが、この熱は空洞とターゲット層を隔てる隔壁を伝わって隔壁に接している作動流体（液体）に伝わる。伝熱により作動流体（液体）の温度がその沸点以上に上昇すると、作動流体が蒸発して気化するためにより多くの熱をターゲット層から放散させることができる。
【００１１】
蒸発した作動流体は空洞内に充満し、蒸発部よりも低い温度に冷却された空洞壁面で凝縮して液化する。その際、冷却された空洞壁面に作動流体の熱が伝達される。液化した作動流体は遠心力により再び回転軸から最も離れた空洞壁付近に集められる。空洞壁面を水冷するための流路は陽極ターゲット内部に設けられている。流路は、回転軸に沿って回転体内部に設けられた水導入路及び水排出路に連通している。  
ヒートパイプの原理を応用して陽極ターゲットの冷却を行う技術は、上記した他にも開示されている（例えば、特許文献４参照）。更に、上記作動流体の材料にナトリウム等の金属を使用する技術も開示されている（例えば、特許文献５及び特許文献６参照）。
【００１２】
特開２００１−３１９６０６号公報及び特表２００５−５２０３００号公報には、上記作動流体の材料にナトリウム等の金属を使用する技術が開示されている。
【特許文献１】ＵＳＰ５５４１９７５
【特許文献２】ＤＥ３６４４７１９
【特許文献３】ＵＳＰ４１６５４７２
【特許文献４】ＵＳ２００７／０２９７５７０Ａ１
【特許文献５】特開２００１−３１９６０６号公報
【特許文献６】特表２００５−５２０３００号公報
【発明の開示】
【発明が解決しようとする課題】
【００１３】
しかしながら、上記作動流体として水又は水に類似の冷却液を使用しているため、沸点は１００℃程度と低く、医療用Ｘ線診断に使用されるＸ線管パワーを十分に吸収させることは困難である。更に、真空容器外部から水を真空中で回転する回転体内に導くためには、真空を維持できる回転シールを回転体に設けて、Ｘ線管の真空容器内の高真空度を維持させる必要があるが、特許文献３には全くその手段が開示されていない。
【００１４】
現在においても、少なくとも真空排気装置を持たない真空封止切りのＸ線管に応用可能な信頼できる真空回転シールは実用化がまだ行われておらず、また実用化されたとしても非常に高コストになると予想され、製品に適用する上で問題がある。
【００１５】
なお、特許文献４に開示されたＸ線管においても、Ｘ線管の内部を真空に維持させる必要があるが、その手段は開示されていない。真空を維持する場合、図示しない真空容器に真空回転シールを設ける必要があり、この場合、真空回転シールが回転体の外面を囲むように設けることで真空容器内部を真空に維持する必要がある。しかしながら、信頼できる真空回転シールは実用化がまだ行われておらず、また実用化されたとしても非常に高コストになると予想され、製品に適用する上で問題がある。
【００１６】
更に、上記したように、特許文献５及び特許文献６には、上記作動流体の材料にナトリウム等の金属を使用する技術が開示されている。しかし、気化した作動流体が凝縮する空洞壁を積極的に冷却する技術は開示されておらず、輻射冷却することが示されている。そのため、陽極ターゲットからの伝熱パワーが高いと空洞壁の温度が上昇し、ヒートパイプとしての冷却能力が低下してしまう。上記した理由により、上述した特許文献と同様に、医療用Ｘ線診断に使用されるＸ線管パワーを十分に吸収させることは困難である。
【００１７】
この発明は以上の点に鑑みなされたもので、その目的は、陽極ターゲットの冷却率に優れているとともに製品寿命の長期化を図ることができる回転陽極型Ｘ線管を提供することにある。
【課題を解決するための手段】
【００１８】
上記課題を解決するため、本発明の態様に係る回転陽極型Ｘ線管は、
外面に軸受面を有し、内部に冷却液が流れる流路を有する円筒状の固定体と、
ターゲット層及び前記ターゲット層の直下に位置した真空空洞部を有し陽極ターゲットを構成する円盤状の径大部と、前記径大部と一体化された径小部と、を含み、前記固定体の外面を囲み、内面に前記軸受面に隙間を置いて対向する軸受面を有し、前記固定体により回転可能に支持された回転体と、
前記隙間に充填された液体金属潤滑剤と、
前記ターゲット層に対向配置された陰極と、
前記固定体、回転体、液体金属潤滑剤及び陰極を収容し、前記回転体の外側に露出した前記固定体に固定された真空外囲器と、
前記真空空洞部の内部に収容され、蒸発及び凝縮されることにより前記ターゲット層の熱を放散させる作動流体材と、を備え、
前記流路は、前記径大部と対向した位置及び前記固定体の少なくとも１つの端部を結んだ範囲にわたっている。
【００１９】
また、本発明の他の態様に係る回転陽極型Ｘ線管は、
側面にラジアルすべり軸受面を有し、一端部が閉塞され、内部に冷却液が流れる流路を有する円筒状の固定体と、
ターゲット層、前記ターゲット層の直下に位置した真空空洞部及び前記固定体の一端部と隙間をおいて嵌合される凹部を有し陽極ターゲットを構成する円盤状の径大部と、前記固定体の側面を囲み、内面に前記ラジアルすべり軸受面に隙間を置いて対向するラジアルすべり軸受面を有し、一端部で前記径大部と一体化された径小部と、を含み、前記固定体により回転可能に支持された回転体と、
前記隙間に充填された液体金属潤滑剤と、
前記ターゲット層に対向配置された陰極と、
前記固定体、回転体、液体金属潤滑剤及び陰極を収容し、前記固定体の一端部の反対側に位置する前記固定体の他端部に固定された真空外囲器と、
前記真空空洞部の内部に収容され、蒸発及び凝縮されることにより前記ターゲット層の熱を放散させる作動流体材と、を備え、
前記流路は、前記固定体の一端部及び他端部を結んだ範囲にわたっている。
【発明の効果】
【００２０】
この発明によれば、陽極ターゲットの冷却率に優れているとともに製品寿命の長期化を図ることができる回転陽極型Ｘ線管を提供することができる。
【発明を実施するための最良の形態】
【００２１】
以下、図面を参照しながらこの発明の第１の実施の形態に係る回転陽極型Ｘ線管装置について詳細に説明する。  
図１に示すように、回転陽極型Ｘ線管装置は、回転陽極型Ｘ線管１と、磁界を発生させるコイルとしてのステータコイル２と、図示しないが回転陽極型Ｘ線管及びステータコイルを収容した筐体とを備えている。
【００２２】
回転陽極型Ｘ線管１は、固定体１０と、冷却液２０と、管部３０と、陽極ターゲット５０と、回転部６０と、液体金属潤滑剤７０と、陰極８０と、真空外囲器９０とを備えている。回転陽極型Ｘ線管１は動圧軸受を使っている。
【００２３】
固定体１０は、筒部１１と、筒部１１の一端部を閉塞した蓋部１２とを有している。固定体１０は、Ｆｅ（鉄）やＭｏ（モリブデン）等の材料で形成されている。筒部１１は、回転軸ａに沿って延出して回転軸ａを中心軸として円筒状に形成されている。筒部１１は、側面にラジアルすべり軸受面Ｓ１を有している。筒部１１及び蓋部１２は一体に形成されている。固定体１０の内部は冷却液２０で満たされている。この実施の形態において、冷却液２０は水である。固定体１０は、この内部に冷却液２０が流れる流路を形成している。固定体１０は、この他端部側に冷却液２０を内部に取り入れる取り入れ口１０ｂを有している。
【００２４】
管部３０は、固定体１０の内部に設けられ、固定体１０とともに流路を形成している。管部３０の一端部は、固定体１０の他端部に形成された開口部１０ａを通って固定体１０の外部に延出している。管部３０は、管部３０の側面が開口部１０ａに密接するように開口部１０ａに固定されている。
【００２５】
管部３０は、その外部に冷却液２０を吐き出す吐き出し口３０ａと、冷却液２０を固定体１０から管内部に導く導入口３０ｂとを有している。吐き出し口３０ａは、固定体１０の外部に位置している。導入口３０ｂは、蓋部１２（固定体１０の一端部）に隙間を置いて位置している。
【００２６】
上記したことから、回転陽極型Ｘ線管１外部からの冷却液２０は、取り入れ口１０ｂから取り入れられ、筒部１１及び管部３０の間を通り、導入口３０ｂより管部３０の内部を通って吐出し口３０ａから回転陽極型Ｘ線管１外部に吐出される。
【００２７】
陽極ターゲット５０は、陽極５１と、この陽極の外面の一部に設けられたターゲット層５２とを有している。陽極５１は、円盤状に形成され、固定体１０と同軸的に設けられている。陽極５１は、Ｍｏ等の材料で形成されている。ターゲット層５２は、Ｗ（タングステン）等の材料で輪状に形成されている。ターゲット層５２は、陽極５１の半径方向外側に位置している。ターゲット層５２の表面は電子衝突面である。
【００２８】
陽極５１は、凹部５１ａを有している。凹部５１ａは、回転軸ａに沿った方向及び半径方向に延在している。すなわち、凹部５１ａは、回転軸ａに沿った方向に凹んでいる。凹部５１ａには筒部１２が嵌合されている。凹部５１ａは、固定体１０の一端部に隙間を置いて形成されている。この隙間は、およそ１００μｍである。この部分に潤滑剤７０が満たされることにより熱伝達流路１００が形成される。ターゲット層５２の熱は、最終的に陽極５１と、潤滑剤７０の熱伝達流路１００とを伝導して固定体１０に伝導され、固定体１０の内部の流路を流れる冷却液２０に伝達される。
【００２９】
陽極５１は、さらに回転軸ａに沿った方向および半径方向に延在した真空空洞部５１ｂを有している。空洞部５１ｂの内部には、陽極５１の開口部５０ｃに取り付けられた排気管５３を通して作動流体材２００が入れられている。作動流体材２００を入れることにより、ヒートパイプの原理を応用して陽極ターゲット５０の冷却を行うことができる。ここでは、作動流体材２００として、固体状の亜鉛が入れられている。固体状の亜鉛が入れられた後、排気管５３を介して、空洞部５１ｂ内部が真空排気され、排気管５３が封止切られている。なお、空洞部５１ｂは、ターゲット層５２の直下に位置している。
【００３０】
図１においては、Ｘ線管の製造工程中に陽極５１が回転され、かつ陽極５１が電子衝撃を受けて昇温された結果、作動流体材２００（固体の亜鉛）は、遠心力により回転軸ａから最も離れた空洞部５１ｂの壁面に液体状態で集合し、陽極５１を回転させたまま冷却した後にその場所に固体となった状態として示されている。
【００３１】
Ｘ線を発生させるためにターゲット層５２に電子ビームが当たると、ターゲット層５２に熱が発生するが、この熱は、陽極５１を介して直下の作動流体材２００に伝わる。伝熱により作動流体材２００（液体）の温度がその沸点以上に上昇すると、表面（真空空間との界面）より作動流体材が蒸発して気化するためにより多くの熱をターゲット層５２から放散させることができる。
【００３２】
蒸発した作動流体材２００は空洞部５１ｂ内に充満し、蒸発部よりも低い温度に冷却された空洞部５１ｂの壁面で凝縮して液化する。その際、冷却された空洞部５１ｂの壁面に作動流体材２００の熱が伝達される。液化した作動流体材２００は遠心力により再び回転軸ａから最も離れた空洞部５１ｂの壁付近に集められる。空洞部５１ｂの壁面を水冷するための流路は固定体１０の内部に設けられている。
【００３３】
なお、作動流体材２００は、表面で気化するため、表面と、ターゲット層５２との界面と、の間隔（作動流体材の熱伝導パス）が短いほど多くの熱をターゲット層５２から放散させることができる。このため、空洞部５１ｂに作動流体材２００を多く入れれば良いのではない。作動流体材２００は、常時、ターゲット層５２の直下を覆う程度設けられていれば良い。
【００３４】
回転部６０は、筒部１１より径の大きい円筒状に形成されている。回転部６０は、固定体１０及び陽極ターゲット５０と同軸的に設けられている。
【００３５】
回転部６０は、ＦｅやＭｏ等の材料で形成されている。より詳しくは、回転部６０は、筒部６１と、筒部６１の他端部に設けられたシール部６３と、筒部６４とを有している。
【００３６】
筒部６１は、筒部１１の側面を囲んでいる。筒部６１は、内面に軸受面Ｓ１にラジアル軸受隙間ＲＧ１を置いて対向したラジアルすべり軸受面Ｓ２を有している。ラジアル軸受隙間ＲＧ１の大きさはおよそ２０μｍである。ラジアル軸受面Ｓ１及び軸受面Ｓ２は、ラジアルすべり軸受Ｂ１を形成している。ここで、軸受面Ｓ１及び軸受面Ｓ２にそれぞれ溝が付いている。回転部６０は陽極ターゲット５０と接合されている。回転部６０は、固定体１０を軸に陽極ターゲット５０とともに回転可能に設けられている。
【００３７】
シール部６３は、軸受面Ｓ２に対して陽極ターゲット５０の反対側に位置している。シール部６３は、筒部６１の他端部に接合されている。シール部６３は、環状に形成され、固定体１０の側面全周に亘って隙間を置いて設けられている。筒部６４は、筒部６１の側面と接合され、筒部６１に固定されている。筒部６４は、例えばＣｕ（銅）で形成されている。
【００３８】
潤滑剤７０は、蓋部１２を含む固定体１０の一端部及び凹部５１ａ間の隙間、並びに筒部１１（軸受面Ｓ１）及び筒部６１（軸受面Ｓ２）間の隙間に充填されている。なお、これらの隙間は全て繋がっている。この実施の形態において、潤滑剤７０は、ガリウム・インジウム・錫合金（ＧａＩｎＳｎ）である。
【００３９】
図１、図２及び図３に示すように、シール部６３及び固定体１０間の隙間（クリアランス）ｃは、回転部６０の回転を維持するとともに潤滑剤７０の漏洩を抑制できる値に設定されている。上記したことから、隙間ｃはわずかである。この実施の形態において、隙間ｃは２００μｍ以下である。このため、シール部６３は、ラビリンスシールリング（labyrinth seal ring）として機能する。
【００４０】
また、シール部６３は、複数の収容部６３ａを有している。ここでは、シール部６３は、４つの収容部６３ａを有している。収容部６３ａは、シール部６３の内側を円形枠状に窪めてそれぞれ形成されている。収容部６３ａは、万一隙間ｃから潤滑剤７０が漏れた場合、漏れた潤滑剤７０を収容する。
【００４１】
固定体１０は、環部１４をさらに有している。筒部６１は、段差部６１ａを有している。環部１４は、段差部６１ａ及びシール部６３で囲まれたスペースに嵌合されている。
【００４２】
環部１４は、スラスト軸受面Ｓ９を有している。筒部６１は、スラスト軸受面Ｓ１０を有している。軸受面Ｓ９及び軸受面Ｓ１０は、回転軸ａに沿った方向に互いにスラスト軸受隙間ＳＧ５を保持して対向している。軸受面Ｓ９及び軸受面Ｓ１０は、スラスト軸受Ｂ５を形成している。スラスト軸受隙間ＳＧ５の大きさはおよそ３０μｍである。
【００４３】
環部１４は、スラスト軸受面Ｓ１１を有している。シール部６３は、スラスト軸受面Ｓ１２を有している。軸受面Ｓ１１及び軸受面Ｓ１２は、回転軸ａに沿った方向に互いにスラスト軸受隙間ＳＧ６を保持して対向している。軸受面Ｓ１１及び軸受面Ｓ１２は、スラスト軸受Ｂ６を形成している。スラスト軸受隙間ＳＧ６の大きさはおよそ３０μｍである。
【００４４】
これらスラスト軸受Ｂ５、Ｂ６は、高温にならず、軸受面Ｓ９及び軸受面Ｓ１０間の隙間、並びに軸受面Ｓ１１及び軸受面Ｓ１２間の隙間を一定に維持できるため、ターゲットが高温になってもスラスト軸受Ｂ５、Ｂ６を正常に機能させることができる。
【００４５】
上記した陽極ターゲット５０及び回転部６０は、回転体６００を形成している。回転体６００は、陽極ターゲット５０及び回転部６０が一体となって形成されている。回転体６００は、固定体１０により回転可能に支持されている。回転体６００は、径大部６１０と、径大部６１０より径の小さい径小部６２０とを有している。この実施の形態において、径大部６１０が陽極ターゲット５０であり、径小部６２０が回転部６０である。
【００４６】
図１に示すように、陰極８０は、回転軸ａに沿った方向において、陽極ターゲット５０のターゲット層５２に間隔を置いて対向配置されている。陰極８０は、電子を放出するフィラメント８１を有している。
【００４７】
真空外囲器９０は、固定体１０、冷却液２０、管部３０、陽極ターゲット５０、回転部６０、潤滑剤７０及び陰極８０を収容している。真空外囲器９０は、Ｘ線透過窓９０ａ及び開口部９０ｂを有している。Ｘ線透過窓９０ａは、回転軸ａに対して直交した方向にターゲット層５２と対向している。固定体１０の他端部は、開口部９０ｂを通って真空外囲器９０の外部に露出されている。開口部９０ｂは、固定体１０を固定している。固定体１０の側面は、開口部９０ｂに密接している。真空外囲器９０は、固定体１０の他端部を支持している。
【００４８】
陰極８０は、真空外囲器９０の内壁に取付けられている。真空外囲器９０は密閉されている。真空外囲器９０の内部は真空状態に維持されている。
【００４９】
ステータコイル２は、回転部６０の側面、より詳しくは筒部６４の側面に対向して真空外囲器９０の外側を囲むように設けられている。ステータコイル２の形状は環状である。図示しない筐体内部に、回転陽極型Ｘ線管１及びステータコイル２が収容されている他、図示しない冷却液が充填されている。  
上記したように回転陽極型Ｘ線管装置が形成されている。
【００５０】
上記Ｘ線管装置の動作状態において、ステータコイル２は回転部６０（特に筒部６４）に与える磁界を発生するため、回転体６００は回転する。これにより、陽極ターゲット５０は回転する。また、陰極８０に相対的に負の電圧が印加され、陽極ターゲット５０に相対的に正の電圧が印加される。例えば、陰極８０に−１５０ｋＶの電圧が印加され、陽極ターゲット５０は接地されている。
【００５１】
これにより、陰極８０及び陽極ターゲット５０間に電位差が生じる。このため、陰極８０は、電子を放出すると、この電子は、加速され、ターゲット層５２に衝突される。すなわち、陰極８０は、ターゲット層５２に電子ビームを照射する。これにより、ターゲット層５２は、電子と衝突するときにＸ線を放出し、放出されたＸ線はＸ線透過窓９０ａを透過して真空外囲器９０外部、ひいては筐体外部に放出される。
【００５２】
上記したように構成された回転陽極型Ｘ線管装置によれば、Ｘ線を放出する際、陽極ターゲット５０、特にターゲット層５２の電子衝突面は高温になるが、ターゲット層５２の熱は、作動流体材２００により熱伝達流路１００付近の空洞部５１ｂの壁部へと伝達され、潤滑剤７０の熱伝達流路１００を伝導して固定体１０に伝導され、最終的に固定体１０の内部の流路を流れる冷却液２０に伝達される。なお、上記したようなＸ線を発生させる工程は、まずＸ線管を製造する真空排気工程で実施されるのが通常である。
【００５３】
Ｘ線の発生を続けた場合でも、ターゲット層５２直下の作動液体材２００に浸った空洞部５１ｂの壁面の温度が作動流体材２００（亜鉛）の沸点９０７℃を超えない限り、作動流体材は蒸発しない（ヒートパイプ作用は働かない）。それ以上の熱入力があると、作動流体材２００の蒸発が顕著となり、ヒートポンプ作用が発生するため、ターゲット層５２直下の作動液体材に浸った空洞部５１ｂの壁面の温度を９５０℃〜１０００℃程度に抑えることができる。
【００５４】
また、凝固点（融点）が４２０℃であることを考慮して、熱伝達流路１００付近の空洞部５１ｂの壁の温度が４２０℃以上、例えば５００℃とする制限がある。この制限条件を考慮した陽極ターゲット５０や固定体１０の構造設計と冷却液２０の流量設定を行うことにより陽極ターゲット５０の冷却率を向上させることが可能である。
【００５５】
作動流体材２００の熱伝達率が高いことと熱伝達流路１００の熱伝導パスが短いことにより、陽極ターゲット５０の冷却率の優れた回転陽極型Ｘ線管１を得ることができる。
【００５６】
これにより、陽極ターゲット５０の溶融等、陽極ターゲット５０に生じる不良を抑制することができる。陽極ターゲット５０の許容できる熱入力を大きくすることができるため、回転陽極型Ｘ線管１の出力を向上させることもできる。その他、回転陽極型Ｘ線管１の製品寿命を長くする効果を得ることができる。
【００５７】
また、冷却液２０を水としたことも陽極ターゲット５０の冷却率の向上、ひいては回転陽極型Ｘ線管１の高出力化に寄与している。すなわち、冷却液２０は熱伝達流路１００の近傍で沸騰状態となり、冷却に寄与する。このように、沸騰冷却は、沸騰を伴わない冷却より冷却効率が良く、一層ターゲット層５２の温度を低減させることができる。上記したことから、陽極ターゲット５０の高冷却が可能となる。
【００５８】
シール部６３は、軸受面Ｓ２に対して陽極ターゲット５０の反対側に位置している。シール部６３はターゲット層５２の電子衝突面の近くに設けられていない。シール部６３は熱経路上、電子衝突面から遠いため、電子衝突による熱の影響を受けない。すなわち、シール部６３が高温となって生じるシール部６３の変形を抑制することができる。従って、シール部６３の熱変形を無視して隙間ｃを小さくすることができるとともに、シール部６３からの潤滑剤７０の漏洩を抑制することができる。
【００５９】
上記したことから、陽極ターゲット５０の冷却率に優れているとともに製品寿命の長期化を図ることができる回転陽極型Ｘ線管１および回転陽極型Ｘ線管１を備えた回転陽極型Ｘ線管装置を得ることができる。
【００６０】
次に、この発明の第２の実施の形態に係る回転陽極型Ｘ線管装置について詳細に説明する。なお、この実施の形態において、他の構成は上述した第１の実施の形態と同一であり、同一の部分には同一の符号を付してその詳細な説明を省略する。
【００６１】
図４に示すように、ターゲット層５２および陰極８０は、真空外囲器９０内で回転軸ａに直交した方向に互いに対向配置されている。Ｘ線透過窓９０ａは、回転軸ａに沿った方向において、ターゲット層５２と対向している。図示しないが、筐体は、Ｘ線透過窓９０ａを透過したＸ線を透過させる窓部を有している。
【００６２】
上記した実施の形態においても、陽極ターゲット５０の冷却率に優れているとともに製品寿命の長期化を図ることができる回転陽極型Ｘ線管１および回転陽極型Ｘ線管１を備えた回転陽極型Ｘ線管装置を得ることができる。
【００６３】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００６４】
例えば、図５に示すように、上記した片端支持軸受構造に替えて両端支持軸受構造を採用しても良い。
【００６５】
冷却液２０は、水に限らず、水及び不凍液の混合液（水を主成分とする不凍液）であっても良い。そして、この冷却液２０を用いて沸騰冷却を行い、ターゲット層５２の温度を低減させることが好ましい。
【００６６】
また、筐体内部に満たされる冷却液（図示せず）と冷却液２０を共通の冷却液とすることができる。その場合には、管部３０の吐出し口３０ａから直接筐体内に冷却液２０が排出されるようにすれば良い。このようにすることにより、陽極ターゲット５０以外のＸ線管の発熱部の冷却率も向上させることが可能となる。
【００６７】
固定体１０は、工具鋼のようなスチール、モリブデン又はモリブデン合金の材料で形成することが好ましい。さらに固定体１０の表面およびそれに対向する回転体６００の表面は、潤滑剤７０との反応温度の高い高融点金属やセラミクス等で被覆されていればさらに好ましい。潤滑剤７０との反応温度の高い物質で被覆して、素材と潤滑剤７０との反応生成物を作り出さないようにすることにより、良好な回転特性を長時間維持させることが可能となる。なお、潤滑剤７０との反応温度の高い物質の被覆を形成するためには、金属を化学蒸着／物理蒸着又は溶射等の手段を用いて行えば良い。
【００６８】
図６は金属元素の沸点（Ｔｂ）と凝固点（Ｔｍ）の関係を示す図である。ここに示される金属元素のうち、冷却性能向上させるという観点では、本発明に適する作動流体材２００としては、およそ６５０＜Ｔｂ（℃）＜１６００、Ｔｍ（℃）＜７００となる範囲にあるものである。毒性のあるものを除くと、作動流体として好ましい元素は、Ｂｉ、Ｓｂ、
Ｍｇ、Ｚｎ、Ｌｉ、Ｎａ、Ｋ、Ｒｂ、Ｃｓである。
【００６９】
また、これらの元素に他の金属元素を添加して合金としたものも本発明の作動流体材２００として使用することができる。
【００７０】
例えば、Ｚｎ３５ｗｔ％に対してＳｎを６５ｗｔ％添加した合金を採用することにより、融点をＺｎの融点４１９℃に対して３３０℃まで下げられるため、排気時に比較的容易に図１に示されるような形態とすることができる。図１に示される形態が実現されないと、それ以降の工程で陽極ターゲット５０に回転アンバランスが生じるため好ましくない。
【００７１】
同様に、Ｂｉ６５ｗｔ％に対してＩｎを３５ｗｔ％添加した合金を採用することにより、融点をＢｉの融点２７１℃に対して１１０℃まで下げられるため、排気時に比較的容易に図１に示されるような形態とすることができる。
【００７２】
また、他の例としてＢｉ７０ｗｔ％にＳｂを３０ｗｔ％添加した合金を採用することにより、融点をＢｉの融点２７１℃に対して４００℃に上げられるため、Ｘ線発生後に作動流体材が凝固するまで回転し続けなければならない時間を短縮させることが可能となる。
【００７３】
回転陽極型Ｘ線管装置の用途によって、作動流体材２００は、水であっても良い。空洞部５１ｂの内部で凝縮した作動流体材２００が、遠心力により、陽極ターゲット５０直下の空洞部５１ｂに戻るよう、空洞部５１ｂが形成されていれば良い。
【００７４】
回転陽極型Ｘ線管１は、径大部６１０の内部に設けられ、管部３０の側面を囲むように管部３０と一体に形成された環部をさらに備えていても良い。この場合、管部３０及び環部は、固定体１０とともに冷却液２０の流路を形成する。
【図面の簡単な説明】
【００７５】
【図１】この発明の第１の実施の形態に係る回転陽極型Ｘ線管装置を示す断面図。
【図２】図１に示した回転陽極型Ｘ線管装置の他の一部を示す拡大断面図であり、特に、シール部を示す拡大断面図。
【図３】図１及び図３に示したシール部を示す拡大断面図。
【図４】この発明の第２の実施の形態に係る回転陽極型Ｘ線管装置を示す断面図。
【図５】図１に示した回転陽極型Ｘ線管装置の変形例を示す断面図。
【図６】金属元素の沸点(Ｔｂ)と凝固点(Ｔｍ)の関係を示す図。
【符号の説明】
【００７６】
１…回転陽極型Ｘ線管、２…ステータコイル、１０…固定体、１１…筒部，１２…蓋部、１４…環部、２０…冷却液、３０…管部、５０…陽極ターゲット、５１…陽極、５１ａ…凹部、５１ｂ…空洞部、５２…ターゲット層、６０…回転部、６１…筒部、６３…シール部、６３ａ…収容部、６４…筒部、７０…潤滑剤、８０…陰極、８１…フィラメント、９０…真空外囲器、９０ａ…Ｘ線透過窓、１００…熱伝達流路、２００…作動流体材、６００…回転体、６１０…径大部、６２０…径小部、ａ…回転軸、ｃ…隙間。
【図１】
2010103046.tif 000003
【図２】
2010103046.tif 000004
【図３】
2010103046.tif 000005
【図４】
2010103046.tif 000006
【図５】
2010103046.tif 000007
【図６】
2010103046.tif 000008